(57)【要約】  複数の電気的に並列又は直列に電気的に接触されたバッテリセルと、データ伝送又は通電ケーブルのための少なくとも２つの接続点と、接続点に接続されたデータ伝送又は通電ケーブルをさらなるバッテリモジュール又はデータ受信機に案内するための少なくとも４つのケーブルガイドとを有するバッテリモジュールケーシングとを備えるバッテリモジュールが開示される。ケーブルガイド（２０ａ〜２０ｆ）はバッテリモジュールケーシングの異なる外縁部で終端し、第１のケーブルガイド（２０ａ〜２０ｃ）のケーブルガイド長と第２のケーブルガイド（２０ｄ〜２０ｆ）のケーブルガイド長との合計が、第３のケーブルガイドのケーブルガイド長と第４のケーブルガイドのケーブルガイド長との合計に等しい。
2021512479.tif 000002
【特許請求の範囲】
【請求項１】
バッテリモジュールであって、電気的に並列又は直列に電気接触される複数のバッテリセルと、バッテリモジュールケーシングとを備え、該バッテリモジュールケーシングが、データ伝送又は通電ケーブルのための少なくとも２つの接続点と、接続点に接続されたデータ伝送又は通電ケーブルを別のバッテリモジュール又はデータ受信機にガイドするための少なくとも４つのケーブルガイドとを備え、ケーブルガイドが、バッテリモジュールケーシングの異なる外縁部で終端するバッテリモジュールにおいて、
それぞれのケーブルガイド（２０ａ〜２０ｆ）が、いずれか１つの接続点（１６、２２）で始まり、バッテリモジュールケーシングの外縁部で終わるケーブルガイド長を有し、第１の接続点（１６）で始まり、バッテリモジュールケーシングの第１の外縁部で終わる第１のケーブルガイド（２０ａ〜２０ｃ）のケーブルガイド長と、第２の接続点（２２）で始まり、バッテリモジュールケーシングの第１の外縁部に向かい合った外縁部で終わる第２のケーブルガイド（２０ｄ〜２０ｆ）のケーブルガイド長との合計が、第１の接続点（１６）で始まり、バッテリモジュールケーシングの第２の外縁部で終わる第３のケーブルガイド（２０ａ〜２０ｃ）のケーブルガイド長と、第２の接続点（２２）で始まり、バッテリモジュールケーシングの第２の外縁部に向かい合った外縁部で終わる第４のケーブルガイド（２０ｄ〜２０ｆ）のケーブルガイド長との合計に等しいことを特徴とするバッテリモジュール。
【請求項２】
バッテリモジュールであって、電気的に並列又は直列に電気接触される複数のバッテリセルと、バッテリモジュールケーシングとを備え、バッテリモジュールケーシングが、データ伝送又は通電ケーブルのための少なくとも２つの接続点と、接続点に接続されたデータ伝送又は通電ケーブルを別のバッテリモジュール又はデータ受信機にガイドするための少なくとも４つのケーブルガイドとを備え、ケーブルガイドが、バッテリモジュールケーシングの外縁部で終端するバッテリモジュールにおいて、
それぞれのケーブルガイド（２０ａ〜２０ｆ）が、いずれか１つの接続点（１６、２２）で始まり、バッテリモジュールケーシングの外縁部で終わるケーブルガイド長を有し、第１の接続点（１６）で始まり、バッテリモジュールケーシングの第１の外縁部で終わる第１のケーブルガイド（２０ａ〜２０ｃ）のケーブルガイド長と、第２の接続点（２２）で始まり、同様にバッテリモジュールケーシングの第１の外縁部で終わる第２のケーブルガイド（２０ｄ〜２０ｆ）のケーブルガイド長との合計が、第１の接続点（１６）で始まり、バッテリモジュールケーシングの第１の外縁部に向かい合った外部縁で終わる第３のケーブルガイド（２０ａ〜２０ｃ）のケーブルガイド長と、第２の接続点（２２）で始まり、同様にバッテリモジュールケーシングの第１の外縁部に向かい合った外縁部で終わる第４のケーブルガイド（２０ｄ〜２０ｆ）のケーブルガイド長との合計に等しいことを特徴とするバッテリモジュール。
【請求項３】
請求項１又は２に記載のバッテリモジュールにおいて、
前記ケーブルガイド（２０ａ〜２０ｆ）が、特に、データ伝送又は通電ケーブル（２８）にクリップ留めするための固定手段（２４）を有するケーブルダクトの形式で構成されているバッテリモジュール。
【請求項４】
請求項３に記載のバッテリモジュールにおいて、
前記ケーブルダクトが、前記バッテモジュールケーシングの少なくとも１つの外面、特に前記バッテリモジュールケーシングのカバー（１４）に刻み込まれているバッテリモジュール。
【請求項５】
請求項１から４までのいずれか１項に記載のバッテリモジュールにおいて、
データ伝送又は通電ケーブル（２８）のための少なくとも１つの接続点（１６、２２）がケーブルプラグの形式で構成されているバッテリモジュール。
【請求項６】
請求項１から５までのいずれか１項に記載のバッテリモジュールにおいて、
データ伝送又は通電ケーブル（２８）のための少なくとも１つの接続点（１６、２２）がバッテリーモジュールケーシングカバー（１４）に設けられており、ケーブルガイド（２０ａ〜２０ｆ）の少なくとも一部がバッテリーモジュールカバー（１４）の平面で、それぞれバッテリーモジュールカバー（１４）の外縁部に通じているバッテリモジュール。
【請求項７】
請求項１から６までのいずれか１項に記載のバッテリモジュールにおいて、
データ伝送又は通電ケーブル（２８）が第１の接続点（１６）に取り付けられており、第２の接続点（２２）が、別のバッテリモジュール（１０）のデータ伝送又は通電ケーブル（２８）に接触するための収容部を有するバッテリモジュール。
【請求項８】
請求項１から７までのいずれか１項に記載の少なくとも３つのバッテリモジュールを有するバッテリパックにおいて、
バッテリモジュール（１０）が隣接して配置される場合に、第１のバッテリモジュール（１０）の第１の接続点（１６、２２）を第２のバッテリモジュール（１０）の第２の接続点（１６、２２）に接続し、第１及び第２のバッテリモジュール（１０）のケーブルガイド（２０ａ〜２０ｆ）内でガイドされるケーブル（２８）が、第２のバッテリモジュール（１０）の第２の接続点（１６、２２）を第３のバッテリモジュール（１０）の第３の接続点（１６、２２）に接続し、第２及び第３のバッテリモジュール（１０）のケーブルガイド（２０ａ〜２０ｆ）内でガイドされる第２のデータ伝送又は通電ケーブル（２８）と同じ長さを有するバッテリパック。
【請求項９】
請求項１から７までのいずれか１項に記載の少なくとも２つのバッテリモジュールを有するバッテリパックにおいて、
バッテリモジュール（１０）が隣接して配置される場合に、第１のバッテリモジュール（１０）の第１の接続点（１６、２２）を第２のバッテリモジュール（１０）の第２の接続点（１６、２２）に接続し、第１及び第２のバッテリモジュール（１０）のケーブルガイド（２０ａ〜２０ｆ）内でガイドされるケーブル（２８）が、第１のバッテリモジュール（１０）の第２の接続点（１６、２２）を第２のバッテリモジュール（１０）の第１の接続点（１６、２２）に接続し、第１及び第２のバッテリモジュール（１０）のケーブルガイド（２０ａ〜２０ｆ）内でガイドされる第２のデータ伝送又は通電ケーブル（２８）と同じ長さを有するバッテリパック。
【請求項１０】
請求項１から７までのいずれか１項に記載の少なくとも２つのバッテリモジュールを有するバッテリパックにおいて、
２つの第１のケーブルガイド（２０ａ〜２０ｆ）が、第１のバッテリモジュール（１０）のバッテリモジュールカバー（１４）の第１の外縁部で終端し、２つの第２のケーブルガイド（２０ａ〜２０ｆ）が、第２のバッテリモジュール（１０）のバッテリモジュールカバー（１４）の第１の外縁部に隣接する第２の外縁部で終端し、第１の外縁部で終端する第１のケーブルガイド（２０ａ〜２０ｆ）のケーブルガイド長の合計が、第２の外縁部で終端する第２のケーブルガイド（２０ａ〜２０ｆ）のケーブルガイド長の合計と正確に同じであるバッテリパック。
【請求項１１】
請求項８から１０までのいずれか１項に記載のバッテリパックにおいて、
前記バッテリーモジュール（１０）が、水平方向の平面で互いに隣接して位置決めされているバッテリパック。
【請求項１２】
請求項１から７までのいずれか１項に記載のバッテリモジュール、又は請求項８から１１までのいずれか１項に記載のバッテリパックを、自動車用途、電気通信の携帯装置又はデータ処理のための電気エネルギー貯蔵装置、特に回生された電気エネルギーのための定置の貯蔵装置に使用する使用法。
【発明の詳細な説明】
【技術分野】
【０００１】
本発明は、独立請求項の前段に記載のバッテリモジュール、バッテリモジュールを含むバッテリパック、及びこれらの使用法に関する。
【背景技術】
【０００２】
ハイブリッド車、プラグインハイブリッド車、及び電気自動車では、駆動装置を支援するか、もしくは駆動装置自体としての役割を果たす電気モータに必要なエネルギーを蓄えるために電気エネルギー貯蔵装置が使用される。このような電気エネルギー貯蔵装置は、例えば、多数の個々のバッテリセルを含むリチウムイオンバッテリとして実現されており、これらのバッテリセルは、複数のバッテリモジュールにおいて直列又は並列に互いに電気的に接続されている。この場合、バッテリの異なる複数のバッテリモジュールを電気的に相互接続する必要があり、このような相互接続は状況に応じてケーブル接続による解決策によって行うこともできる。
【０００３】
さらにこのような電気エネルギー貯蔵装置は、バッテリモジュールもしくはバッテリモジュール内に含まれるバッテリセルを監視するための高度なシステムを必要とする。一般に、例えば、対応するバッテリモジュール又は複数のバッテリモジュールを含むバッテリパックはそれぞれセル監視ユニットを有し、これらのセル監視ユニットはセル監視回路（ＣＳＣ）とも呼ばれる。同じ電気エネルギー貯蔵装置の異なるバッテリモジュールもしくはバッテリパックのセル監視ユニットは、データ伝送するように接続されており、この接続は、同様にケーブル接続により実現されていることが多い。
【０００４】
さらに、そのような電気エネルギー貯蔵装置は一般に中央バッテリ制御装置を有し、中央バッテリ制御装置は、例えば、異なるセル監視ユニット、又は電気エネルギー貯蔵装置のバッテリモジュール又はバッテリパックにデータ伝送するように直接に接続している。これは同様に対応するケーブル接続を介して行われる。バッテリ制御装置及びセル監視ユニットの位置決めは可変であり、電気エネルギー貯蔵装置内のバッテリモジュール及びバッテリパックの数も可変であり、したがって、電気エネルギー貯蔵装置内でのバッテリモジュール及びバッテリパックの位置決めも可変なので、対応する数のケーブル接続のために異なるケーブル長のケーブルが必要とされる。
【０００５】
したがって、対応する電気エネルギー貯蔵装置を製造するためには異なる長さの多数のケーブルが必要であり、これらのケーブルを正確に準備するには手間がかかり、場合によっては誤りが生じやすい。さらに、所与の長さのこのような一組の接続ケーブルは、電気エネルギー貯蔵装置内の制御装置及びバッテリモジュールの位置決めの可能性を制限する。
【０００６】
このことに関して、ドイツ国特許出願公開第１０２０１３００９７１３号明細書により、ハイブリッド車又は電気自動車用のケーブルハーネスを収容するためのケーブルダクトを有するバッテリが知られている。このケーブルダクトは、対応するケーブルをクリップ止めすることができる組立補助部を有し、ケーブルはこのケーブルダクト内に固定される。さらに、米国特許出願公開第２００９／０１２９０４４号明細書により、バッテリケーシングに沿ってケーブルダクトをガイドするための構造が知られている。ケーブルは、バッテリケーシングの外側でガイドすることができる。
【０００７】
さらに、米国特許第７，６０４，５０７号明細書は、バッテリモジュールの外側に沿ってガイドされるケーブルを示しており、ケーブルをガイドするためにクリップ要素が設けられている。国際公開第２０１１／０７８４７８号パンフレットにより、ハイブリッド自動車の高電圧バッテリのためのバッテリ管理システムが知られており、高電圧バッテリのモジュールはケーブルを介して相互接続されている。
【発明の概要】
【０００８】
本発明によれば、独立請求項に記載の特徴を有するバッテリモジュール、バッテリモジュールを含むバッテリパック、及びこれらの使用法が提供される。
【０００９】
本発明によれば、例えば、直列又は並列に互いに電気的に接続された、例えば、リチウムイオンバッテリセルなどの多数又は複数のバッテリセルを有するバッテリモジュールが提供される。バッテリセルは、例えば、外部の影響からバッテリセルを保護する役割を果たすバッテリモジュールケーシング内に配置されている。バッテリモジュールケーシングは、さらに、例えば、バッテリモジュールとさらなるバッテリモジュール、又は本発明によるバッテリモジュールを含む電気エネルギー貯蔵装置のバッテリ端子とを電気的に接続するための通電ケーブルのための少なくとも１つの接続点を有する。
【００１０】
接続点は、データ伝導ケーブルとの接触のためにも用いることができ、これにより、バッテリモジュールは、例えば、バッテリ制御器、セル監視ユニット、又はセル接触ユニットとデータ伝導するように接続されている。
【００１１】
このような通電又はデータ伝送ケーブルの接続を可能にするために、バッテリモジュールは少なくとも４つのケーブルガイドを有する。ケーブルガイドは、バッテリモジュールケーシングの内壁又は外壁内又はこれらに沿ったケーブルガイド経路であって、ガイドされるケーブルのために連続的又は周期的な間隔をおいて固定要素を設けたケーブルガイド経路として理解される。連続的な固定は、例えば、適切に寸法決めされたケーブルダクトを設けることによって確保されており、周期的な固定は、例えば、ガイドされるケーブルのために対応する保持クリップを設けることによって行われる。もちろん、保持クリップを備えるケーブルダクトの形式で両方の実現可能性を組み合わせることも可能である。
【００１２】
バッテリモジュールの少なくとも４つのケーブルガイドは、それぞれデータ伝送又は通電ケーブルのためのいずれか１つの接続点で始まり、接続点から間隔をおいてバッテリモジュールの周縁部又は外縁部の適切に選択可能な点で終わる。
【００１３】
本発明によれば、「ケーブルガイド長」と呼ばれるこれらのケーブルガイドの長さは、ケーブルガイドに沿ったそれぞれの接続点からバッテリモジュールの周縁部又は外縁部のそれぞれの終端点までの距離として構成されており、第１の接続点で始まり、バッテリモジュールケーシングの第１の外縁部で終わる第１のケーブルガイドのケーブルガイド長と、第２の接続点で始まり、バッテリモジュールケーシングの第１の外縁部に向かい合った外縁部で終わる第２のケーブルガイドのケーブルガイド長との合計は、第１の接続点で始まり、バッテリモジュールケーシングの第２の外縁部で終わる第３のケーブルガイドのケーブルガイド長と、第２の接続点で始まり、バッテリモジュールケーシングの第２の外縁部に向かい合った外縁部で終わる第４のケーブルガイドのケーブルガイド長との合計に等しい。
【００１４】
本発明のさらなる実施形態によれば、バッテリモジュールは、電気的に並列又は直列に電気接触される複数のバッテリセルと、バッテリモジュールケーシングとを備え、バッテリモジュールケーシングは、データ伝送又は通電ケーブルのための少なくとも２つの接続点と、接続点に接続されたデータ伝送又は通電ケーブルを別のバッテリモジュール又はデータ受信機にガイドするための少なくとも４つのケーブルガイドとを備え、これらのケーブルガイドはバッテリモジュールケーシングの外縁部で終端する。それぞれのケーブルガイドは、いずれか１つの接続点で始まり、バッテリモジュールケーシングの外縁部で終わるケーブルガイド長を有する。
【００１５】
第１の接続点で始まり、バッテリモジュールケーシングの第１の外縁部で終わる第１のケーブルガイドのケーブルガイド長と、第２の接続点で始まり、同様にバッテリモジュールケーシングの第１の外縁部で終わる第２のケーブルガイドのケーブルガイド長との合計は、第１の接続点で始まり、バッテリモジュールケーシングの第１の外縁部に向かい合った外部縁で終わる第３のケーブルガイドのケーブルガイド長と、第２の接続点で始まり、同様にバッテリモジュールケーシングの第１の外縁部に向かい合った外縁部で終わる第４のケーブルガイドのケーブルガイド長との合計に等しい。
【００１６】
これらの手段の特別な利点は、同一に構成された複数のバッテリモジュールを使用し、同一に構成されたこれらのバッテリモジュールを互いに位置決めする場合に、それぞれのケーブルガイドの終端点が互いにできるだけ小さい間隔をおいて第１及び第２のバッテリモジュールの外周部に位置決めされ、第１のバッテリモジュールの第１の接続点を第２のバッテリモジュールの第２の接続点に接続するケーブルの長さが、両方のバッテリモジュールの多くの、特に全ての位置決め可能性について等しいことである。このようにして、第１及び第２のバッテリモジュールの選択されたそれぞれの位置決め可能性について同じ長さのケーブルを使用することができ、複数のバッテリモジュールからなるバッテリパックのこのような構造の範囲で異なる長さのケーブルの使用が不要になる。
【００１７】
この場合、例えば、第１のバッテリモジュールと第２のバッテリモジュールとの間にデータ伝送又は通電ケーブル接続が行われるどうか、及びどのケーブルガイドを介して行われるかは、使用されるケーブルの長さのために重要ではない。さらに、このケーブル接続は、第１及び第２のバッテリモジュールのケーブルガイドの任意の組み合わせによって行うこともでき、第１のバッテリモジュールの第１の接続点から第２のバッテリモジュールの第２の接続点までの対応するデータ伝送又は通電ケーブルには常に同じケーブル長が必要とされる。
【００１８】
本発明のさらに有利な実施形態が従属請求項の対象である。
【００１９】
したがって、ケーブルガイドが、例えばバッテリモジュールケーシングの外面に刻み込まれたケーブルダクトとして構成されていると有利である。この実施形態の利点は、バッテリモジュールケーシングが閉じられた状態で、しかもバッテリモジュールの外面で通電ケーブルもしくはデータ伝送ケーブルの配設を行うことができ、したがって、このようなバッテリモジュールを取り扱う場合により高い安全性が得られることである。バッテリモジュールケーシングの表面に刻み込まれたケーブルダクト内で対応するケーブルのガイドが行われる場合、バッテリモジュールケーシングの表面に対応するケーブルを設けることによって、バッテリモジュールケーシングのために電気エネルギー蓄積装置内に必要とされる構成スペースが拡大されることはなく、複数のバッテリモジュールを隣接して位置決めし、バッテリモジュールのバッテリモジュールケーシングの互いに平坦な物理的接触が生じる。
【００２０】
さらに、データ伝送又は通電ケーブルを接触させるための接続点が、バッテリモジュールケーシングのカバーに位置決めされており、この接続点を起点として少なくとも４つのケーブルガイドが設けられており、これらのケーブルガイドがバッテリモジュールカバーの平面に延在し、それぞれバッテリモジュールカバーの外縁部で終端することは有利である。この実施形態の特別な利点は、例えば、複数のバッテリモジュールを含むバッテリパックを製造する場合に、１つの平面にバッテリモジュールを平坦に配置することが可能になり、同一に構成されたバッテリモジュールを使用した場合にはこの平面に互いに隣接してバッテリモジュールを任意に位置決めすることができ、対応するバッテリモジュールの対応するケーブルガイドの終端点が互いにできるだけ小さい間隔をおいて設けられている場合には、２つの隣接するバッテリモジュールのデータ伝送もしくは通電接触のために常に同じ長さのケーブルを使用できることである。このようにして、同じ長さの１組のデータ伝送又は通電ケーブルのみが必要とされる。
【００２１】
さらに本発明の対象は、複数のバッテリモジュールを有するバッテリパックである。電気エネルギー貯蔵装置は複数のバッテリパックを含むことができるが、電気エネルギー貯蔵装置が、複数のバッテリモジュールを備える単一のバッテリパックによって形成されていることも可能である。
【００２２】
このようなバッテリパックは複数の又は多数のバッテリモジュールを含み、これらのバッテリモジュールは、複数又は多数のバッテリセルを含む。バッテリモジュールのバッテリセルは互いに直列又は並列に電気的に接続されている。バッテリモジュールはそれぞれバッテリモジュールケーシングを備え、バッテリモジュールケーシングには、データ伝送又は通電ケーブルのための少なくとも２つの接続点が設けられている。バッテリモジュールはさらにケーブルガイドを備え、これらのケーブルガイドはバッテリモジュールのそれぞれの接続点で始まり、バッテリモジュールの外周部もしくは外縁部の終端点で終わる。
【００２３】
少なくとも３つのバッテリモジュールが互いに隣接して位置決めされる場合には、本発明によれば、例えば、第１のバッテリモジュールの第１の接続点を第２のバッテリモジュールの第２の接続点にデータ伝送又は通電するように接続し、第１及び第２のバッテリモジュールのケーブルガイド内でガイドされる第１のケーブルは、第２のバッテリモジュールの第２の接続点を第３のバッテリモジュールの第３の接続点にデータ伝送又は通電するように接続する第２の通電又はデータ伝送ケーブルと同じケーブルガイド長を有する。
【００２４】
本発明の代替的な本発明の実施形態によれば、複数のバッテリモジュールを有するバッテリパックが設けられている。このようなバッテリパックは、複数又は多数のバッテリモジュールを含み、これらのバッテリモジュールは、複数又は多数のバッテリセルを含む。この場合、バッテリモジュールのバッテリセルは互いに直列又は並列に電気的に接続されている。バッテリモジュールはそれぞれバッテリモジュールケーシングを備え、バッテリモジュールケーシングには、データ伝送又は通電ケーブルのための少なくとも１つの接続点が設けられている。バッテリモジュールはさらにケーブルガイドを備え、これらのケーブルガイドは、バッテリモジュールのそれぞれの接続点で始まり、バッテリモジュールの外周部の終端点で終わる。
【００２５】
少なくとも２つのバッテリモジュールが互いに隣接して位置決めされる場合、本発明によれば、第１のバッテリモジュールの第１の接続点を第２のバッテリモジュールの第２の接続点に接続し、第１及び第２のバッテリモジュールのケーブルガイド内でガイドされるケーブルは、第１のバッテリモジュールの第２の接続点を第２のバッテリモジュールの第１の接続点に接続し、第１及び第２のバッテリモジュールのケーブルガイド内でガイドされる第２のデータ伝送又は通電ケーブルと同じ長さを有する。
【００２６】
本発明のさらなる代替実施形態によれば、複数のバッテリモジュールを有するバッテリパックが設けられている。このようなバッテリパックは、複数また多数のバッテリモジュールを備え、これらのバッテリモジュールは多数又は多数のバッテリセルを備える。バッテリモジュールのバッテリセルは互いに直列又は並列に電気的に接続されている。バッテリモジュールはそれぞれバッテリモジュールケーシングを備え、バッテリモジュールケーシングにはデータ伝送又は通電ケーブルのための少なくとも１つの接続点が設けられている。さらにバッテリモジュールは、バッテリモジュールのそれぞれの接続点で始まり、バッテリモジュールの外周部の終端点で終わるケーブルガイドを備える。
【００２７】
少なくとも２つのバッテリモジュールが互いに隣接して位置決めされる場合、本発明によれば、２つの第１のケーブルガイドが、第１のバッテリモジュールのバッテリモジュールカバーの第１の外縁部で終端し、２つの第２のケーブルガイドが、第１の外縁部に隣接する第２のバッテリモジュールのバッテリモジュールカバーの第２の外縁部で終端し、第１の外縁部で終端する第１のケーブルガイドのケーブルガイド長の合計が、第２の外縁部で終端する第２のケーブルガイドのケーブルガイド長の合計と正確に同じである。
【００２８】
これらの手段の特別な利点は、特に従来の形式で同一に構成された対応するバッテリモジュールの位置決めとは無関係に、比較可能な長さのケーブルを常に使用することができ、これにより対応するバッテリパックの製造が著しく単純化されることである。
【００２９】
本発明によるバッテリモジュールもしくは本発明によるバッテリパックは、例えば、電気自動車又はハイブリッド車などの自動車用途、データ処理又は電気通信のための携帯装置、電動工具、又は特に回生電気エネルギーのための定置の貯蔵装置に有利に使用することができる。本発明によるバッテリモジュールもしくは本発明によるバッテリパックは、好ましくは、再充電可能な二次バッテリとして構成されている。
【００３０】
本発明の例示的な実施形態を図面に示し、以下に図面に基づいて詳細に説明する。
【図面の簡単な説明】
【００３１】
【図１】本発明の第１の実施形態によるバッテリモジュールを示す斜視図である。
【図２】本発明の第２の実施形態によるバッテリモジュールを示す概略図である。
【図３】本発明のさらなる有利な実施形態によるバッテリパックを示す概略平面図である。
【発明を実施するための形態】
【００３２】
図１は、本発明の第１の実施形態によるバッテリモジュール１０を示す。バッテリモジュール１０は、例えば、互いに直列又は並列に電気的に接続されたバッテリセル（図１には示していない）を備える。バッテリモジュール１０は、側壁１２とケーシングカバー１４とを有するバッテリモジュールケーシングを備えている。ケーシングカバー１４は、例えば、バッテリモジュール１０の電気的接触、又はバッテリモジュール１０のデータ技術的接触に使用される第１の接続点１６を有する。データ技術的接触は、例えば、接続点１６を介して、例えばバッテリモジュールに組み込まれたセンサから測定信号を伝送することができる場合、又は接続点１６が、バッテリモジュール１０の個々のバッテリセルに接続された測定線路と電気的に接触している場合に提供されている。第１の接続点１６は、好ましくはケーシングカバー１４の凹部１８内に位置決めされている。
【００３３】
第１の接続点１６を介したバッテリモジュール１０の電気的又はデータ技術的接触を確実にするために、バッテリモジュール１０は、少なくとも３つ、好ましくは４〜６つのケーブルガイド２０ａ、２０ｂ、２０ｃを有し、これらのケーブルガイドは、通電又はデータ伝送ケーブル（図１には示していない）を固定するために使用される。ケーブルガイド２０ａ〜２０ｃは、好ましくは、第１の接続点１８をケーシングカバー１４の異なる外縁部に接続し、ケーシングカバー１４の外周部で終端する。
【００３４】
図１では、例えば、第１のケーブルガイド２０ａは、バッテリモジュール１０もしくはケーシングカバー１４の第１の長手方向縁部で終端し、第２のケーブルガイド２０ｂは、ケーシングカバー１４の第２の外縁部で終端し、第３のケーブルガイド２０ｃは、ケーシングカバー１４の第１の長手方向縁部に向かい合ったケーシングカバー１４の第２の長手方向縁部で終端している。
【００３５】
ケーブルガイド２０ａ〜２０ｃは、好ましくは、ケーシングカバー１４の凹部として構成されている。この実施形態の利点は、対応するケーブルを第１の接続点１６に接触させる場合に、このケーブルをケーブルガイド２０ａ〜２０ｃの凹部内でガイドすることができ、したがって、接触されたバッテリモジュール１０が、接触されていないバッテリモジュール１０よりも多くの空間を占有しないことである。このことはさらに、複数のバッテリモジュール１０を直接に隣接した構成で同一平面に設置することを可能にする。バッテリモジュール１０は、好ましくは、少なくとも２つの接続点１６を備える。
【００３６】
図２は、本発明の第２の実施形態によるバッテリモジュール１０を示す。同じ参照符号は、図１と同じ構成要素も示す。
【００３７】
図２に示すバッテリモジュール１０は第２の接続点２２を有し、この接続点には、例えば、対応する通電又はデータ伝送用のケーブル２６が、例えば溶接プロセスによって、好ましくは解除不能に取り付けられている。第２の接続点２２の凹部１８には、対応するケーブル２６を凹部１８内に巻き取ることを可能にする固定装置２４が設けられている。ケーブル２６は、例えば、ケーブル２６を、例えば隣接するバッテリモジュール１０の第１の接続点に取り付けることができる端部プラグ２８を有する。
【００３８】
さらに第２のケーブルガイド２０ｄ〜２０ｆは、例えば、対応するケーブル２６がケーブルガイド２０ｄ〜２０ｆ内に固定されることを確実にする保持クリップ２１を有する。
【００３９】
図３は、図１及び図２による複数のバッテリモジュール１０を有するバッテリパック１００を示す。引き続き同じ参照符号は図１及び図２と同じ構成要素を示す。
【００４０】
個々のバッテリモジュール１０を観察すると、第１の接続点１６と第２の接続点２２とを有する。第１の接続点１６は第１のケーブルガイド２０ａ〜２０ｃを有し、第２の接続点２２は第２のケーブルガイド２０ｄ〜２０ｆを有する。
【００４１】
それぞれのケーブルガイド２０ａ〜２０ｆは、いずれか１つの接続点１６、２２で始まり、バッテリモジュールケーシングの外縁部で終わるケーブルガイド長を有する。第１の接続点１６で始まり、バッテリモジュールケーシングの第１の外縁部で終わる第１のケーブルガイド２０ａ〜２０ｃのケーブルガイド長と、第２の接続点で始まり、第１の外縁部に向かい合ったバッテリモジュールケーシングの外縁部で終わる第２のケーブルガイド２０ｄ〜２０ｆのケーブルガイド長との合計は、第１の接続点１６で始まり、バッテリモジュールケーシングの第２の外縁部で終わる第３のケーブルガイド２０ａ〜２０ｃのケーブルガイド長と、第２の接続点で始まり、第２の外縁部に向かい合ったバッテリモジュールケーシングの外縁部で終わる第４のケーブルガイド２０ｄ〜２０ｆのケーブルガイド長との合計に等しい。
【００４２】
代替的には、それぞれのケーブルガイド２０ａ〜２０ｆは、いずれか１つの接続点１６、２２で始まり、バッテリモジュールケーシングもしくはケーシングカバー１４の外縁部で終わるケーブルガイド長を有する。この場合、第１の接続点１６で始まり、バッテリモジュールケーシングの第１の外縁部で終わる第１のケーブルルーティング２０ａ〜２０ｃのケーブルルーティング長と、第２の接続点２２で始まり、同様にバッテリモジュールケーシングの第１の外縁部で終わる第２のケーブルガイド２０ｄ〜２０ｆのケーブルガイド長との合計は、第１の接続点１６で始まり、バッテリモジュールケーシングの第１の外縁部に向かい合ったいずれか１つの第１の外縁部で終わる第３のケーブルガイド２０ａ〜２０ｃのケーブルガイド長と、第２の接続点２２で始まり、バッテリモジュールケーシングの第１の外縁部に向かい合った外縁部で終わる第４のケーブルガイド２０ｄ〜２０ｆのケーブルガイド長との合計に等しい。
【００４３】
さらに代替的に、第１のバッテリモジュール１０の２つの第１のケーブルガイド２０ａ、２０ｆは、第１のバッテリモジュール１０のケーシングカバー１４の第１の外縁部で終端し、第２のバッテリモジュール１０の２つの第２のケーブルガイド２０ａ、２０ｆは、第１の外縁部に隣接する第２のバッテリモジュール１０のケーシングカバー１４の第２の外縁部で終端する。第１の外縁部で終端する第１のケーブルガイド２０ａ、２０ｆのケーブルガイド長の合計は、第２の外縁部で終端する第２のケーブルガイド２０ａ、２０ｆのケーブルガイド長の合計と正確に同じである。
【００４４】
その結果、バッテリパック１００に関して、第１のバッテリモジュール１０の第１の接続点１６を隣接するさらなるバッテリモジュール１０の第２の接続点２２に接続するケーブル２６の長さは、第１のバッテリモジュール１０の第２の接続点２２を隣接する第２のバッテリモジュール１０の第１の接続点１６に接続するケーブル２６の長さと同一である。このようにして、特に同一に構成された複数のバッテリモジュール１０を、例えば、水平方向の配置にグループ化し、単一のケーブル長のケーブルによって通電又は信号伝送するように互いに接続することができる。
【００４５】
付加的又は代替的に、特に同様に構成されたバッテリモジュール１０を、水平方向の平面ではなく、付加的又は代替的に垂直方向の平面に配置することが可能である。このために、ケーブルガイド２０ａ〜２０ｆは、代替的に又は付加的に、バッテリモジュール１０のモジュールケーシングの外壁又は底部内でガイドされている。そこでも、上記ケーブルガイドは、好ましくは、ケーシング壁もしくはケーシングの底部に凹部として設けられている。この実施形態は、対応するバッテリパック１００を形成するために、多数のバッテリモジュールの立方体配置を可能にする。
【図１】
2021512479.tif 000003
【図２】
2021512479.tif 000004
【図３】
2021512479.tif 000005
【国際調査報告】
2021512479.tif 000006
2021512479.tif 000007
2021512479.tif 000008
2021512479.tif 000009